(57)【要約】【課題】家屋外部工事のための本足場の構築をする際の壁つなぎのための連結固定金具の提供を課題とする。【解決手段】この連結固定金具は金具部１４と、金具部１４を連結できる連結棒１６と、クランプ６からなり、軒先（８，９）に設置されている雨樋受け金具７または外部に設置されている柵１７に金具部１４を固定する。それと共に、外側方向へ突出状に設ける様連結棒１６を角度調節しながら連結する。これら前記の連結金具部材を、クランプ６を用い立設している足場等の単管１１に緊結することを特徴とする連結固定金具。【選択図】図４
2007146511.tif 000002
【特許請求の範囲】
【請求項１】
金具部１４と、金具部１４を連結できる連結棒１６と、クランプ６からなり、軒先（８，９）に設置されている雨樋受け金具７または外部に設置されている柵１７に金具部１４を固定すると共に、建物外側方向へ突出状に設ける様連結棒１６を連結し、これら前記の連結金具部材にクランプ６を用いて立設している足場等の単管１１に緊結することを特徴とする連結固定金具。
【請求項２】
前記連結固定金具は、金具部１４と、金具部１４を連結できる連結棒１６と、クランプ６からなり、金具部１４には軒先（８，９）に設置されている雨樋受け金具７または外部に設置されている柵１７に１箇所以上固定するための締め付け金具１があり、この締め付け金具１は連結棒１６を外側方向へ突出状に設ける様連結し、これら前記の連結金具部材にクランプ６を用い立設している足場等の単管１１に緊結することを特徴とする請求項１記載の連結固定金具。
【発明の詳細な説明】
【技術分野】
【０００１】
本発明は、家屋外部工事を行うに際して使用される足場等の単管１１と雨樋受け金具７または外部に設置されている柵１７と連結する壁つなぎとしての連結固定金具に関する。
【背景技術】
【０００２】
安全に家屋外部工事を行うため、家屋の新築時または全面に亘っての外部工事には必ず本足場が全面に構築されるので、外部作業を安全に行うことができたが、これに対し一部分の家屋外部工事の際、本足場が構築されるが全面に亘っては設置されない。また敷地が狭く控えが設置できない、もしくは壁つなぎが設置されず安定性、安全性に欠け不安定なままの足場上での工事を余儀なくされ、作業者が常に危険にさらされていた。さらに、強風、突風などにより本足場が倒壊することもあった。
【０００３】
しかしながら、家屋の外部に壁つなぎを取付けると、家屋外部表面に釘孔など損傷や破損されることが生じるため難しく好ましくない。
【０００４】
また、本足場を組立てる場合には、一部分の家屋外部工事を行うためだけに新築時と同様の足場を組立てることになり部材コストや運搬費が高くなるとともに、組立てに時間がかかるので経費が高くつく。また、狭所地に本足場を組立てる場合には、起重機が必要となり、さらに経費か高くつく。
【０００５】
この改善策として、一部分の家屋外部工事の際は工事部の側面のみに本足場を組立て軒先まで立設して、家屋軒先に設置されている雨樋受け金具７または外部に設置されている柵１７に連結固定金具金具部１４を締め付け固定し連結棒１６を家屋外側方向へ突出させる様に緊結して、クランプ６を使用し本足場の単管１１と連結させ壁つなぎとして使用する。これにより、本足場は上部で固定され構築が安定し外部工事仕上がり面に釘孔が生じるか、軒先の一部分が損傷や破損されることがない。
【０００６】
雨樋受け金具７が設置されていない場所では、屋根軒先下地部等、工事終了後隠れる部分に釘等にて補助金具４を取付け、クランプ６を使用して本足場の単管１１と連結固定する。補助金具４を屋根軒先下地部等、工事終了後隠れる部分に取付けることにより釘孔が生じるが、家屋外部表面に損傷や破損されることがない。
【特許文献１】特開平０７−２２９２９２号公報
【発明の開示】
【発明が解決しようとする課題】
【０００７】
この発明は、本足場構築の際の壁つなぎに雨樋受け金具７または外部に設置されている柵１７を利用して壁つなぎとすることを課題とする連結固定金具を提供することを目的とする。
【課題を解決するための手段】
【０００８】
本発明は、家屋外部工事のための本足場の構築をする際の壁つなぎであって、壁つなぎは複数本の連結固定金具とクランプ６を有する。
【０００９】
連結固定金具金具部１４には、軒先に設置されている雨樋受け金具７または外部に設置されている柵１７に締め付け固定する断面形状が四角状もしくは楕円状のＪ型状締め付け金具１と、Ｊ型状締め付け金具１を食い込ませるための受け穴３があり、なおかつＪ型状締め付け金具１を回転不可能にするためボルト通し穴１８はＪ型状締め付け金具１の断面と同じ形状になっているものが設けてある。これら前記の金具部１４を軒先（８，９）に設置されている雨樋受け金具７または外部に設置されている柵１７に、Ｊ型状締め付け金具１を使い締め付け固定をさせる。雨樋受け金具７の設置状況は、その建物により均一ではなく、不規則的なためＪ型状締め付け金具１は狭い隙間であっても取付けが可能な様に先端部が薄く平らになっている。Ｊ型状締め付け金具１は締め付けると、受け穴３に食い込むようになっており様々な厚みに対応する。これにより雨樋一体型をのぞく雨樋受け金具７または外部に設置されている柵１７に対応できる。連結棒１６は家屋外側方向へ突出状に設ける様連結固定し。足場の単管１１と連結固定金具の連結には、クランプ６を使用し緊結する。
【００１０】
一部分の本足場構築の際は、複数本の前記連結固定金具を軒先の雨樋受け金具７または外部に設置されている柵１７に外側方向へ突出状に設ける様連結固定し、クランプ６を使い、軒先まで立設した足場の単管１１と緊結させ、壁つなぎとする。
【００１１】
これにより連結固定金具を側面ではなく全く釘孔を開けずに取付けができる。
【００１２】
また、雨樋受け金具７が設置されていない場所では、屋根軒先下地部等、工事終了後隠れる部分に釘等にて補助金具４を取付け、クランプ６を使用して本足場の単管１１と連結固定する。補助金具４を屋根軒先下地部等、工事終了後隠れる部分に取付けることにより釘孔が生じるが、家屋外部表面に損傷や破損されることがない。
【発明の効果】
【００１３】
本発明の効果として、軒先の雨樋受け金具７または外部に設置されている柵１７、連結固定金具または補助金具４、本足場の単管１１を互いに簡単な手段で迅速に連結でき、軒先の形状、雨樋受け金具７または外部に設置されている柵１７の形状、取付け間隔に関係なく相違又はばらつきに応じて設置することにより、軒先の雨樋受け金具７または外部に設置されている柵１７と本足場の単管１１とを確実に緊結させることができる。さらに、この連結固定金具を一箇所に２本使用することにより本足場の単管１１を一層安定に立設することができる。
【００１４】
また、雨樋受け金具７がなくても補助金具４を備えれば、本足場の単管１１を立設させるに際して工事後に隠れる軒先（８，９）のわずかな部分に釘等で本足場の単管１１を固定できる。同様に、屋根軒先（妻側）９にも補助金具４を使い立設すれば、家屋全体を本足場で確実に取り囲むことができるから、工事現場をより一層安全にできる。
【００１５】
また、運搬、取付け、取外しを容易に、且つ迅速に行える。連結固定金具は雨樋受け金具７または外部に設置されている柵１７にＪ型状締め付け金具１で締めて固定するだけであるから、家屋外部表面に対しては変形などの損傷を与えることがない。さらに、本連結固定金具と補助金具４は、パイプなどからなり安価な材料コストで製作できる。また、少人数の作業者であっても短時間で組立てることができ、経費が安くつく。
【発明を実施するための最良の形態】
【００１６】
建物の軒先に雨樋受け金具または外部に設置されている柵が設置されていれば良い
【００１７】
本発明による連結固定金具の実施例を、図を参照して説明する。
【００１８】
本連結固定金具は図２に示すように、家屋に設置されている雨樋受け金具７または外部に設置されている柵１７に締め付け固定するための連結固定金具と、図６に示すように雨樋受け金具７または外部に設置されている柵１７がないところでの壁つなぎのための補助金具４から構成されている。
【００１９】
図３に示すように連結固定金具はＪ型状締め付け金具１、受け穴３、回転防止付きＪ型状締め付け金具１、ボルト２からなる。Ｊ型状締め付け金具２は、図２に示すようにＪ型状締め付け金具１を家屋に設置されている雨樋受け金具７または外部に設置されている柵１７に締め付け固定するために、受け穴３に食い込むようになっており、ボルト２で締め付ける。連結棒１６は図２に示すように、連結固定金具先端は薄く平らな形状になっており、雨樋受け金具７と連結棒１６を連結した後に家屋外側方向へ突出させる様にして、水平に近くなる角度でクランプ９を用いて単管１１に緊結固定する。
【００２０】
雨樋受け金具７または外部に設置されている柵１７と本足場の単管１１のそれぞれに、強力に固定する。
【００２１】
図７で示すように雨樋受け金具７が無い所では補助金具４を使い、足場の単管１１の起立状態を不動に保つためのもので、補助金具４は二股に分かれておりそれを屋根の軒先端（８，９）の野地部分に釘等で固定する。これにクランプ６を使用して、足場の単管１１を軒先（８，９）に緊結固定する。
【００２２】
本発明連結固定金具を前述したように組立てると、足場の単管１１はほぼ直立状態となるので、安全に足場構築、家屋外部作業ができる。また本発明の取外し作業は、家屋外部工事をした後に取付けの逆の順序で外してゆく。
【図面の簡単な説明】
【００２３】
【図１】連結固定金具の立体図を示した説明図である。
【図２】連結固定金具のＪ型状締め付け金具１を雨樋受け金具７に締め付ける実施方法を示した説明図である。
【図３】補助金具４を屋根（妻側）に固定し、足場立設の実施方法を示した説明図である。
【図４】連結固定金具を雨樋受け金具７に連結固定した足場立設の実施方法を示した説明図である。
【図５】連結固定金具を外部に設置されている柵１７に連結固定した足場立設の実施方法を示した説明図である。
【符号の説明】
【００２４】
１：Ｊ型状締め付け金具
２：ボルト
３：受け穴
４：補助金具
５：釘穴
６：緊結金具
７：雨樋受け金具
８：屋根軒先
９：屋根軒先（妻側）
１０：雨樋
１１：単管
１２：布板
１３：ベースジャッキ
１４：連結固定金具金具部
１５：釘
１６：連結棒
１７：柵
１８：通し穴
【図１】
2007146511.tif 000003
【図２】
2007146511.tif 000004
【図３】
2007146511.tif 000005
【図４】
2007146511.tif 000006
【図５】
2007146511.tif 000007